(57)【特許請求の範囲】
【請求項１】
蓋が筐体の開口に対して一端側を中心に回動し、上記筐体に対して閉じられた第１位置から、当該開口を開放する第２位置まで回動可能な開閉装置であって、
上記筐体は、上記開口の周縁に設けられた孔を有しており、
上記蓋は、上記第１位置及び上記第２位置へ回動して上記開口を開閉する本体と、当該本体から延出されて上記孔に挿通された平板形状のアームと、を有しており、
上記アームは、上記本体が上記第２位置であるときに、上記孔の周縁と係合して、上記本体が上記第２位置より開く向きへ回動することを制止する係合部と、当該係合部の上記本体側近傍であって平板形状の幅が狭くなるようにくびれた幅狭部と、を有しており、
上記係合部は、上記アームから平板形状の幅方向へ突出して上記孔の周縁と当接する第１接触部と、上記アームから平板形状の厚み方向へ突出して上記孔の周縁と当接する第２接触部を有しており、
上記第１接触部及び上記第２接触部は、上記幅狭部が変形することにより上記孔を挿通可能である開閉装置。
【請求項２】
上記幅狭部は、上記アームの他の部分よりも撓みやすいものである請求項１に記載の開閉装置。
【請求項３】
上記第１接触部は、上記本体が上記第２位置であるときに、上記アームが脱抜される向きへ向く第１接触面を有し、
上記第２接触部は、上記本体が上記第２位置であるときに、上記蓋の回動中心側へ向く第２接触面を有する請求項１又は２に記載の開閉装置。
【請求項４】
上記第２接触面は、上記平板形状の表裏面の一方と交差するものであり、
上記第２接触面と上記表裏面の一方との境界が曲面である請求項３に記載の開閉装置。
【請求項５】
上記孔は、上記開口を画定する枠体に形成されており、
上記枠体には、上記本体が上記第２位置であるときに上記第１接触面及び上記第２接触面とそれぞれ当接する第１枠面及び第２枠面が、上記孔の周縁に形成されている請求項３又は４に記載の開閉装置。
【請求項６】
上記アームは、上記蓋の回動方向に沿った円弧状である請求項１から５のいずれかに記載の開閉装置。
【発明の詳細な説明】
【技術分野】
【０００１】
本発明は、蓋が筐体に対して一端側を中心に回動して開閉が行われる開閉装置に関する。
【背景技術】
【０００２】
従来より、筐体に取り付けられた蓋が筐体に対して一端側を中心に回動して開閉が行われる開閉装置が知られている。このような回動式の開閉装置は、主として、機材の一部を外部から遮断して保護するため、そして、機材の一部を必要な時だけ外部からアクセス可能な状態にするために使用されている。回動式の開閉装置は、電子機器を初めとする様々な機材に使用されており、一例として、小物の収納容器、電子写真装置、及びカード挿入スロット等に使用されている。
【０００３】
また、回動式の開閉装置は、インクジェットプリンタにおいて、インクカートリッジを装着するスロットを外部に対して遮断又は開放するためにも使用されている。スロットは、筐体に形成された開口の奥に設けられている。平常時には、蓋が開口に対して閉じられた状態となっており、スロットは外部から遮断されている。インクカートリッジの交換の際、ユーザはスロットにアクセスするために蓋を回動させて、蓋が開口に対して開かれた状態にする。インクカートリッジの交換後、ユーザは蓋を逆向きに回動させて、再び蓋が開口に対して閉じられた状態にする。
【０００４】
開閉装置には、蓋の開きすぎを防止するアームを備えたものがある。一般的な構成では、アームは蓋から延設されており、アームの先端側が筐体に設けられた孔に挿入されている。蓋が閉じられた状態にあるとき、アームは筐体の内部に収容されている。蓋が開く向きに回動されると、アームは筐体の内部から部分的に脱抜されていく。アームの先端には突起等を有した係合部が形成されており、孔の周辺部位と係合するようになっている。係合部が孔の周辺部位と係合することで、アームは筐体の内部から完全には脱抜されず、蓋の回動が係止される。つまり、蓋は、所定の角度まで開かれると、それ以上開く向きに回動することはできず、蓋の開きすぎが防止される。
【０００５】
また、特許文献１には、蓋が閉じられた位置から筐体面に沿ってスライドすることで、蓋の開く向きへの回動が阻止される開閉装置が記載されている。
【先行技術文献】
【特許文献】
【０００６】
【特許文献１】特開２０１０−２２５４０２号公報
【発明の概要】
【発明が解決しようとする課題】
【０００７】
アームを備えた開閉装置において、蓋が最大まで開かれた状態で蓋に開く向きへの大きな力が加えられると、開閉装置を構成する部品が破損するおそれがある。蓋の設けられる位置や蓋が回動する向きによっては、蓋の回動が開閉装置の載置面によって止められて、蓋の開きすぎが防止されることもある。しかしながら、蓋が開閉装置の上部に設けられている場合や、開閉装置がテーブルや台の端に置かれた場合には、蓋の回動が開閉装置の載置面によって止められないため、上述のような問題が起こりやすい。特に、突起等を有した係合部は、負荷によって破損しやすい。また、上述されたようなインクジェットプリンタには、アームが機械式センサとして機能しているものがある。そのような機種では、アームの位置によって蓋の開閉状態が判断されるため、アームの破損によって機器が正常に動作しなくなるおそれがある。
【０００８】
蓋が開く向きへ所定以上の力が掛かったときに係合部の係合が解除されるようにすることで、部品の破損を防止することができる。係合が解除されると、アームは筐体の内部から完全に脱抜された状態となる。その際、ユーザは再びアームを筐体の内部にセットする必要がある。通常の使用で係合が簡単に解除されてしまうと、ユーザは頻繁にアームを筐体の内部にセットすることになる。
【０００９】
本発明は、上記問題に鑑みてなされたものであり、その目的は、アームを備えた開閉装置において、通常の使用ではアームが筐体から外れにくく、開き方向に所定以上の力が加えられたときにはアームが筐体から外れることで、アームの破損を防止する開閉装置を提供することにある。
【課題を解決するための手段】
【００１０】
(1)  本発明は、蓋が筐体の開口に対して一端側を中心に回動し、上記筐体に対して閉じられた第１位置から、当該開口を開放する第２位置まで回動可能な開閉装置である。上記筐体は、上記開口の周縁に設けられた孔を有している。上記蓋は、第１位置及び第２位置へ回動して上記開口を開閉する本体と、当該本体から延出されて上記孔に挿通された平板形状のアームと、を有している。上記アームは、上記本体が第２位置であるときに、上記孔の周縁と係合して、上記本体が第２位置より開く向きへ回動することを制止する係合部と、当該係合部の近傍であって平板形状の幅が狭くなるようにくびれた幅狭部と、を有している。上記係合部は、上記アームから平板形状の幅方向へ突出して上記孔の周縁と当接する第１接触部と、上記アームから平板形状の厚み方向へ突出して上記孔の周縁と当接する第２接触部を有している。上記第１接触部及び上記第２接触部は、上記幅狭部が変形することにより上記孔を挿通可能である。
【００１１】
蓋が第２位置にある場合、アームの係合部が、第１接触部及び第２接触部において孔の周縁と係合している。蓋に所定以上の開く向きの力が作用すると、第１接触部及び第２接触部の少なくとも一方が押圧されて幅狭部が変形する。幅狭部が変形することで係合部の係合が解除され、第１接触部及び第２接触部は、孔から完全に脱抜される。
【００１２】
本構成では、幅狭部がくびれて湾曲しやすくなっているため、蓋に大きな開く向きの力が作用した場合においても、アームの係合部が破損する前に幅狭部が変形し、係合部の係合が解除される。すなわち、アームが孔から完全に脱抜されて、アームの破損が防止される。
【００１３】
(2)  上記幅狭部は、上記アームの他の部分よりも撓みやすいものであってもよい。
【００１４】
幅狭部がアームの他の部分よりも撓みやすく構成されることで、蓋に開き方向の力が作用した際に、係合部の係合が解除されやすくすることができる。
【００１５】
(3)  上記第１接触部は、上記本体が第２位置であるときに、上記アームが脱抜される向きへ向く第１接触面を有し、上記第２接触部は、上記本体が第２位置であるときに、上記蓋の回動中心側へ向く第２接触面を有していてもよい。
【００１６】
(4)  上記第２接触面は、上記平板形状の表裏面の一方と交差するものであってもよく、上記第２接触面と上記表裏面の一方との境界が曲面であってもよい。
【００１７】
第２接触面と上記表裏面の一方との境界が曲面として形成されることで、第２接触面に大きな力が掛かった場合にも、係合部が破損することを回避することができる。
【００１８】
(5)  上記孔は、上記本体が第２位置であるときに、上記第１接触面及び上記第２接触面とそれぞれ当接する第１枠面及び第２枠面を有する枠体に形成されたものであってもよい。
【００１９】
(6)  上記アームは、上記蓋の回動方向に沿った円弧状であってもよい。
【発明の効果】
【００２０】
本発明においては、通常の使用ではアームが筐体から外れにくく、開く向きに所定以上の力が加えられたときにはアームが筐体から外れることで、アームの破損を防止することができる。
【図面の簡単な説明】
【００２１】
【図１】図１は、本発明の実施形態に係る複合機１０の斜視図であり、蓋３０が閉位置にある状態を示すものである。
【図２】図２は、複合機１０の斜視図であり、蓋３０が開位置にある状態を示すものである。
【図３】図３は、プリンタ部１７の内部構造を模式的に示す縦断面図である。
【図４】図４は、図２の蓋３０周辺を拡大した要部拡大図である。
【図５】図５（Ａ）は、左右方向１３の右側からアーム４０の先端側を観察した側面図である。図５（Ｂ）は、前後方向１２の後方からアーム４０の先端側を観察した正面図である。
【図６】図６は、図５（Ａ）の、V−V切断線における断面図である。
【図７】図７は、外側筐体部材２６を取り外した状態において、複合機１０の内側から蓋３０を観察した斜視図である。
【図８】図８は、図７のアーム孔２３周辺を拡大した要部拡大図である。
【図９】図９は、アーム４０がアーム孔２３から脱抜される際の動作を示す概略図であり、アーム孔２３周辺を複合機１０の内側から観察したものである。（Ａ）は、係合部４１と切片４９とが係合した状態を示し、（Ｂ）は、係合部４１と切片４９との係合が解除された瞬間の状態を示す。
【発明を実施するための形態】
【００２２】
以下に、適宜図面が参照されて、本発明の好ましい実施形態が説明される。なお、以下に説明される実施形態は本発明の一例にすぎず、本発明の要旨を変更しない範囲で、本発明の実施形態が適宜変更できることは言うまでもない。また、以下の説明では、複合機１０が使用可能に設置された状態（図１の状態）を基準として上下方向１４が定義され、蓋３０が設けられている側を手前側（正面）として前後方向１２が定義され、複合機１０を手前側（正面）から見て左右方向１３が定義される。
【００２３】
［複合機１０の概要］
図１，２に示される複合機１０（本発明の開閉装置の一例）は、筐体２０（本発明の筐体の一例）の内部に、インクジェット記録方式のプリンタ部１７が収容されたものである。筐体２０は、複数の部材によって構成されているが、複合機１０の外部からは、複合機１０の側面を形成する外側筐体部材２６のみが視認可能である。
【００２４】
複合機１０の正面右側には、蓋３０が取り付けられている。蓋３０の裏側において、内側筐体部材２５（図２，４）によって開口２１（本発明の開口の一例）が形成されている。蓋３０は、開口２１に対して開閉自在に取り付けられている。図２，４においては省略されているが、開口２１の奥部には、後述されるインクカートリッジ８０（図３を参照）を装着するためのスロット７８（図３を参照）が設けられている。複合機１０の正面中央には、記録用紙６１が積載された給紙トレイ１１が装着されている。給紙トレイ１１は、複合機１０に対して前後方向１２に挿抜可能となっている。
【００２５】
複合機１０は、ファクシミリ機能及びプリント機能などの各種の機能を有しているが、プリント機能以外の機能の有無は任意である。なお、本実施形態において、複合機１０はプリンタ機能として片面画像記録機能のみ有しているが、複合機１０は両面画像記録機能を有していてもよい。
【００２６】
［プリンタ部１７］
図３に示されるように、プリンタ部１７は、インクジェット記録方式に基づいて、記録用紙６１に対してインク滴を選択的に吐出することにより画像を記録するものである。プリンタ部１７は、インク供給装置６２を備えている。インク供給装置６２には、スロット７８が設けられている。スロット７８には、インクカートリッジ８０が装着され得る。スロット７８には、その一面が外部に開放された装着口６４が設けられている。インクカートリッジ８０は、装着口６４を介してスロット７８に挿入され、或いはスロット７８から抜き出される。
【００２７】
インクカートリッジ８０には、プリンタ１０で使用可能なインクが貯留されている。スロット７８に装着された状態において、インクカートリッジ８０と、記録部７６のキャリッジ８１に設けられた記録ヘッド８２とがインクチューブ７９で接続されている。記録ヘッド８２にはサブタンク（不図示）が設けられている。サブタンクは、インクチューブ７９を通じて供給されるインクを一時的に貯留する。キャリッジ８１が左右方向１３（紙面に対して垂直な方向）に移動する中で、記録ヘッド８２は、インクジェット記録方式によって、サブタンクから供給されたインクをノズル（不図示）から選択的に吐出する。
【００２８】
給紙トレイ１１から給紙ローラ６３によって搬送路７１へ送給された記録用紙は、搬送ローラ対７４によってプラテン７７上へ搬送される。記録ヘッド８２は、プラテン７７上を通過する記録用紙６１に対してインクを選択的に吐出する。これにより、画像が記録用紙６１に記録される。プラテン７７を通過した記録用紙６１は、排出ローラ対８５によって、搬送路７１の最下流側に設けられた排紙トレイ８６に排出される。
【００２９】
［蓋３０］
図１，２に示されるように、筐体２０には、蓋３０が取り付けられている。蓋３０は、下端３３側を中心に上端３２側が第１向き１５（図１）に回動して、開口２１に対して閉じられた閉位置（本発明の第１位置の一例、図１の位置）から、筐体２０に対して所定の角を為すように開かれた開位置（本発明の第２位置の一例、図２の位置）まで姿勢変化可能である。また、蓋３０は、下端３３側を中心に上端３２側が第１向き１５とは反対向きの第２向き１６（図２）に回動して、開位置から閉位置に復帰することができる。
【００３０】
図４に示されるように、蓋３０は、概ね平板状の本体３１（本発明の本体の一例）と本体３１の裏面３４から延設された平板状のアーム４０（本発明のアームの一例）とを有する。本体３１とアーム４０とは一体成形されており、例えば熱可塑性樹脂によって製造されていてもよい。アーム４０の先端には突起状の係合部４１が形成されている。係合部４１の周辺にはアーム４０の幅が狭くされた幅狭部４７が形成されている。
【００３１】
左右方向１３の両端部周辺において、本体３１は裏面３４側に湾曲されている。すなわち、本体３１は、上端３２又は下端３３側から見て略コの字状の形状を有している。本体３１の上端３２周辺において、裏面３４から突起３５が突出されている。突起３５は、蓋３０が閉位置にあるとき、後述される筐体２０の係止部（不図示）によって係止される。突起３５及び係止部は、自重や外部からの振動によって蓋３０が閉位置から開位置に姿勢変化することを防止するものである。
【００３２】
左右方向１３において湾曲された本体３１の両端部周辺から、内側に向かって回動用凸部（不図示）が突出されている。回動用凸部は、下端３３近くに設けられており、左右方向１３に対向配置されて一対を為している。回動用凸部は、長さ数ミリ程度の円柱状の突起である。回動用凸部は、後述される張り出し部２９に形成された２つの回動用凹部（不図示）にそれぞれ挿入されている。
【００３３】
アーム４０は、本体３１の裏面３４において、左右方向１３の右端付近から延設されている。アーム４０は、左右方向１３に薄平な平板であり、本体３１の下端３３側に湾曲されて円弧を為している。平面視において円弧の接線と直交する方向の寸法（以下、単に幅と称される。）は、アーム４０の基端（本体３１側）において最も長く、先端側に向かって短くなっている。アーム４０は、後述される筐体２０のアーム孔２３に挿通されており、蓋３０の回動を案内すると同時に、蓋３０の開きすぎを防止するものである。
【００３４】
アーム４０の先端には、図５に示される係合部４１（本発明の係合部の一例）が形成されている。係合部４１は、アーム４０の円弧の外側に向けて突出する突起状である。係合部４１において、左右方向１３の右側の面（本発明の表裏面の一方）からリブ４２が突出されている。図５（Ｂ）に示されるように、リブ４２によって、係合部４１は、アーム４０の他の部分よりも左右方向１３に厚みを有している。図５（Ａ）に示されるように、リブ４２は直線状に形成された２つの側縁４３を有する。２つの側縁４３によって、係合部４１が突出する方向に沿った第１接触面４４（本発明の第１接触面の一例）、及びアーム４０が延出する方向に沿った第２接触面４５（本発明の第２接触面の一例）が形成されている。第１接触面４４と第２接触面４５とは、係合部４１の基端側付近で交差して鋭角を為している。第１接触面４４及び第２接触面４５は、蓋３０が開位置のときに、後述される第１枠面２７及び第２枠面２８にそれぞれ当接するものである。ここで、リブ４２における第１接触面４４及び第２接触面４５の周辺部位が、それぞれ本発明の第１接触部及び第２接触部の一例である。
【００３５】
図５（Ａ），図６に示されるように、アーム４０の右側の面と第２接触面４５との連続部分（本発明の境界の一例）には、アール４６が形成されている。すなわち、アーム４０の右側の面と第２接触面４５とが交差する部分が、曲面状に形成されている。アール４６は第２接触面４５を押圧する力に対して、係合部４１の剛性を高くするためのものである。
【００３６】
図５に示されるように、係合部４１の周辺には、アーム４０の他の部分と比較して幅が狭い幅狭部４７（本発明の幅狭部の一例）が形成されている。
【００３７】
［筐体２０］
図１，２，４に示される筐体２０は、複数の部材が組み合わせられて構成されている。図４に示されるように、例えば、筐体２０は、内部空間を有する枠状の内側筐体部材２５と、複合機１０の側面を構成する外側筐体部材２６とを含むものである。内側筐体部材２５は、給紙トレイ１１よりも左右方向１３の右側に配置されており、内部空間が複合機１０の前面に露出されている。内側筐体部材２５の内部空間が複合機１０の前面に露出されることで、開口２１が形成されている。開口２１は矩形の孔であり、外部からスロット７８に繋がる通路を形成している。外側筐体部材２６は、内側筐体部材２５を含む複合機１０の構成部材を左右方向１３及び前後方向１２に取り囲んでいる。すなわち、複合機１０の側面を形成している。ただし、複合機１０の前面において、給紙トレイ１１及び開口２１が存在する部分は外側筐体部材２６によってカバーされていない。内側筐体部材２５及び外側筐体部材２６は、例えば熱可塑性樹脂によって製造されてもよい。
【００３８】
図４，７に示されるように、開口２１の下方には、開口２１よりも前後方向１２の前方に張り出された張り出し部２９が形成されている。上述された通り、張り出し部２９の左右方向１３の両端には、２つの回動用凹部が形成されている。本体３１は、略コの字状に湾曲された左右方向１３の両端部周辺が、張り出し部２９を左右方向１３の外側から覆うように配置されている。回動用凸部は、それぞれ回動用凹部に挿入されている。すなわち、本体３１が張り出し部２９に嵌め込まれた状態になっている。これにより、本体３１は、２つの回動用凸部を結んだ仮想直線を中心に回動することができる。なお、図４に示される向きからは視認できないが、開口２１の上下方向１４の上方には、上述された突起３５を係止する係止部が形成されている。
【００３９】
開口２１の左右方向１３の右側には、アーム孔２３（本発明の孔の一例）が形成されている。アーム孔２３は、縦長形状の矩形の孔である。アーム孔２３の左右方向１３の寸法は、アーム４０の係合部４１の厚みよりも長く、上下方向１４の寸法は、アーム４０の最大の幅、すなわち最基端側における幅よりも長い。アーム孔２３にはアーム４０が挿通されている。アーム４０は、アーム孔２３の左右方向１３の概ね右側に寄るように位置されており、アーム４０の右側の面が内側筐体部材２５に接触している。
【００４０】
図８に示されるように、複合機１０の内側において、内側筐体部材２５のアーム孔２３を構成する右側の枠の上部に切片４９が形成されている。切片４９は、内側筐体部材２５の側面２４と交差する２つの面である第１枠面２７（本発明の第１枠面の一例）及び、第２枠面２８（本発明の第２枠面の一例）に沿って形成されている。すなわち、枠の一部が第１枠面２７と第２枠面２８とに沿って切り取られた形状を為している。第１枠面２７と第２枠面２８とは、切片４９の奥部で交差して鋭角を為している。
【００４１】
［蓋３０及び筐体２０の動作］
蓋３０が閉位置にあるとき、すなわち図１の状態において、アーム４０は、大部分がアーム孔２３の内部に収容されている。また、蓋３０の突起３５は、係止部によって係止されている。係止部が突起３５を係止する力を上回る第１向き１５の力が蓋３０に作用すると、突起３５の係止が解除されて、蓋３０は下端３３側を中心に第１向き１５に回動する。アーム４０の右側の面が内側筐体部材２５に接触しているため、アーム４０が枠に対して摺動し、蓋３０は左右方向１３にがたつくことなく回動する。蓋３０が開位置まで回動すると、図７，８に示されるように、アーム４０の大部分がアーム孔２３から脱抜され、アーム４０の係合部４１が切片４９に係合した状態となる。つまり、第１接触面４４は、アーム４０が脱抜される側に向けられて、第１枠面２７と当接する。第２接触面４５は、上下方向１４の下方、すなわち蓋３０の回動中心側に向けられて、第２枠面２８と当接する。これにより、アーム４０はアーム孔２３から完全には脱抜されず、蓋３０の第１向きの回動が係止される。
【００４２】
この状態で、蓋３０に対して所定以上の第１向き１５の力が作用すると、第１向き１５の力は、第１接触面４４が第１枠面２７を押圧する力の成分と、第２接触面４５が第２枠面２８を押圧する力の成分とに分解される。その力の大部分は、上下方向１４の下向きの力、すなわち第２接触面４５が第２枠面２８を押圧する力となる。
【００４３】
第２接触面４５は、アーム４０の右側の面と交差しているため、第２接触面４５が第２枠面２８を押圧する力の一部は、アーム４０を図９（Ａ）の第３向き５０に湾曲させる力に変換される。幅狭部４７は、アーム４０の他の部分よりも幅が狭く形成されているため、撓みやすい。したがって、アーム４０は、幅狭部４７よりも先端側が第３向き５０に捻れるように変形する。幅狭部４７よりも先端側が第３向き５０に捻れることで、図９（Ｂ）に示されるように、第１接触面４４と第１枠面２７とが当接しない状態となり、係合部４１と切片４９との係合が解除される。こうして、係合部４１がアーム孔２３を挿通可能となり、アーム４０はアーム孔２３から完全に脱抜される。
【００４４】
アーム孔２３から完全に脱抜されたアームは、ユーザが再びアーム孔２３にセットすることができる。ユーザは、手指によってアーム４０の幅狭部４７よりも先端側を第３向き５０に湾曲させた状態を維持しながら、アーム４０をアーム孔２３に挿入する。以上の手順によって、アーム４０は、再びアーム孔２３に挿通された状態となる。
【００４５】
［実施形態の作用効果］
本実施形態に係る複合機１０は、アーム４０の幅狭部４７がくびれて湾曲しやすくなっているため、蓋３０に大きな第１向きの力が作用した場合においても、アーム４０が破損する前に幅狭部が変形して内部に作用する応力を逃がすことができる。また、幅狭部４７よりも先端側が第３向きに変形し、係合部４１と切片４９との係合が解除されるため、アーム４０の破損が防止される。
【００４６】
また、アーム４０の左右方向１３の右側の面と第２接触面４５との連続部分には、アール４６が形成されているため、第２接触面４５を押圧する力に対する剛性が高くされている。したがって、開位置において、蓋３０に第１向き１５の大きな力が作用して第２接触面４５が第２枠面２８から力を受けたとしても、係合部４１が破損することを防止することができる。
【００４７】
また、アーム４０の右側の面が内側筐体部材２５に対して摺動するため、蓋３０は左右方向１３にがたつくことなく回動することができる。
【００４８】
また、本実施形態に係る蓋３０は、製造が容易であり、剛性が高い。
【００４９】
［変形例］
上述された実施形態において、リブ４２の側縁によって第１接触面４４及び第２接触面４５が形成されているが、係合部４１の形状は上述された実施形態に限定されるものではない。すなわち、第１接触面４４及び第２接触面４５は、上述された実施形態と同等の機能を有するものあれば異なる形状に形成されていてもよい。例えば、第１接触面４４及び第２接触面４５は、必ずしもリブ４２の側縁に形成されている必要はない。同様に、内側筐体部材２５の切片４９の形状についても同様に、上述された実施形態と異なる形状に形成されていてもよい。当業者は、第１接触面４４と第１枠面２７とが当接する面積や角度、及び第２接触面４５と第２枠面２８とが当接する面積や角度によって、係合部４１と切片４９との係合が解除されるために必要な第１向き１５の力を変更してもよい。
【００５０】
また、上述された実施形態において、幅狭部４７を撓みやすくするため、幅狭部４７の幅が狭くされているが、幅狭部４７を撓みやすくするために他の方法が用いられてもよい。例えば、図５に示されるアーム４０の幅狭部４７のうち、係合部４１の付け根部４８周辺には、部分的に弾性係数の高い材料が使用されていてもよい。それにより幅狭部４７は、アーム４０の他の部分と比較して左右方向１３に撓みやすくされてもよい。幅狭部４７の撓みやすさを決定する際に、例えば左右方向１３への曲げに対する断面２次モーメントが基準とされてもよい。弾性係数の高い材料には、当業者が最適なものを選択することができる。その一例として、例えばフィラーを多く含んだ樹脂が使用されてもよい。弾性係数の高い材料によって幅狭部４７を撓みやすくすることで、蓋に第１向き１５の力が作用した際に、係合部４１と切片４９との係合がより解除されやすくすることができる。
【００５１】
また、幅狭部４７を撓みやすくするため、幅狭部４７の幅に加えて厚みが薄くされてもよい。あるいは、幅狭部４７が湾曲する方向に沿ってスリットが設けられてもよい。また、上述された方法のうちの複数が組み合わせられて使用されてもよい。
【００５２】
また、本発明に係る開閉装置は、必ずしも複合機１０のようなプリント機能を備えた機器として構成される必要はなく、蓋やアームは、必ずしもインクカートリッジ８０を装着するスロット７８に対して使用される必要はない。例えば、本発明は、上述されたように小物の収納容器、電子写真装置、及びカード挿入スロット等に使用されてもよい。つまり、機材の一部を外部に対して遮断及び開放することが求められるあらゆる機材が、本発明に係る開閉装置として構成されうるものである。
【符号の説明】
【００５３】
１０・・・複合機（開閉装置）
２０・・・筐体
２５・・・内側筐体部材（枠体）
２１・・・開口
２３・・・アーム孔（孔）
２７・・・第１枠面
２８・・・第２枠面
３０・・・蓋
３１・・・本体
４０・・・アーム
４１・・・係合部
４４・・・第１接触面
４５・・・第２接触面
４７・・・幅狭部
【図１】
0005760656.tif 000002
【図２】
0005760656.tif 000003
【図３】
0005760656.tif 000004
【図４】
0005760656.tif 000005
【図５】
0005760656.tif 000006
【図６】
0005760656.tif 000007
【図７】
0005760656.tif 000008
【図８】
0005760656.tif 000009
【図９】
0005760656.tif 000010